(57)【要約】      （修正有）【課題】１台の携帯電話で複数店舗、複数の各種サービス会員登録を行うことができる会員管理システム及び方法を提供する。【解決手段】インターネットに接続可能でかつ非接触ＩＣカードを内蔵する携帯電話を各種サービスの会員カードの代わりに用い、各種サービスを提供する店舗に設置された端末に携帯電話をかざすことで携帯電話に内蔵された非接触ＩＣカード情報を読取り、端末が保持する店舗認識情報と読取った非接触ＩＣカード情報をインターネット経由で会員管理コンピュータに送信することで会員と店舗の認証を行い、各種サービスを行う。携帯電話に内蔵された非接触ＩＣカード情報は固有であり、携帯電話１台で複数の各種サービスの会員カードとして利用できる。【選択図】図１
2009140460.tif 000002
【特許請求の範囲】
【請求項１】
非接触ＩＣカード読取り機能を有する端末とインターネットに接続可能でかつ非接触ＩＣカードを内蔵する携帯電話を利用し、インターネット網を通じて暗号化した非接触ＩＣカード情報と店舗識別情報と携帯電話固体識別番号情報を会員管理コンピュータに送信することにより、各種サービス（ポイント、割引等）の会員管理を行うこと、を特徴とする会員管理システム。
【請求項２】
前記携帯電話の非接触ＩＣカード情報を会員識別番号として利用すること、を特徴とする請求項１記載の会員管理システム。
【請求項３】
１台の前記携帯電話で、複数の店舗の各種サービス（ポイント、割引等）の会員になること、を特徴とする請求項１記載の会員管理システム。
【請求項４】
非接触ＩＣカード読取り機能、暗号化機能、データ圧縮機能、携帯電話へインターネットサービス所在地情報を送信しインターネット自動接続指示機能を有し、インターネットサービス所在地情報および店舗識別情報を保持する端末を用いること、を特徴とする請求項１記載の会員管理システム。
【請求項５】
インターネット網を通じて会員管理コンピュータへ送信する非接触ＩＣカード情報と店舗認識情報および携帯電話固体識別番号情報は暗号化とデータ圧縮し、会員管理コンピュータは受取った非接触ＩＣカード情報と店舗認識情報および携帯電話固体識別番号情報を解凍と複合化すること、を特徴とする請求項１記載の会員管理システム。
【請求項６】
インターネット網を通じて会員管理コンピュータに接続時に取得できる携帯電話固体識別番号と前記インターネット網を通じて取得した携帯電話固体識別番号情報より会員認証を行うこと、を特徴とする請求項１記載の会員管理システム。
【請求項７】
会員管理コンピュータは、複数店舗の会員認証、店舗認証、店舗管理を行うこと、を特徴とする請求項１記載の会員管理システム。
【請求項８】
会員管理コンピュータは、店舗の所在地および会員の居住地を郵便番号で管理を行うこと、を特徴とする請求項１記載の会員管理システム。
【請求項９】
会員管理コンピュータは、前記店舗の所在地および会員の居住地の郵便番号を緯度経度に変換し、変換した緯度経度より登録された会員の居住地および店舗の所在地の距離を求め、距離管理を行うこと、を特徴とする請求項１記載の会員管理システム。
【発明の詳細な説明】
【技術分野】
【０００１】本発明は、非接触ＩＣカード読取り機能を有する端末とインターネットに接続可能でかつ非接触ＩＣカードを内蔵する携帯電話を利用しインターネット網を通じて各種サービス（ポイント、割引等）の会員管理システムおよび方法に関する。
【背景技術】
【０００２】従来、店舗にて各種サービス（ポイント、割引等）を行うために、おもに各種カード（磁気カード、ＩＣ型カード）を用いた会員管理システムを利用して、各種サービス（ポイント、割引など）を実施する形態で運営をしている。【０００３】しかしながら、店舗では、各種カード（磁気カード、ＩＣ型カード）の発行費用がかかるデメリットや各種カード（磁気カード、ＩＣ型カード）を用いた会員管理システムでの、カードの読取装置等の高額なシステム導入費用やランニングコストがかかるデメリットがある。【０００４】また、会員は、店舗ごとや各種サービス（ポイント、割引など）の複数の会員カードを持つ必要があり、持ち運びや管理に不便等のデメリットがある。
【発明の開示】
【発明が解決しようとする課題】
【０００５】本発明では、このような問題を解決し、インターネットに接続可能でかつ非接触ＩＣカードを内蔵する携帯電話の非接触ＩＣカードを会員カードの代わりに用いることで、１台の携帯電話で複数店舗、複数の各種サービス（ポイント、割引など）会員登録を行うことを特徴とする、会員管理システム及び方法を提供することを目的とするものである。
【課題を解決するための手段】
【０００６】上記課題を解決するために、本発明の会員管理システムは、携帯電話に内蔵する非接触ＩＣカードの情報を非接触ＩＣカード読取り機能を有する端末にて読取り、読取った非接触ＩＣカード情報および端末に保持する店舗識別情報を暗号化およびデータ圧縮を行った後、携帯電話のインターネット接続機能を用いて会員管理コンピュータへ受け渡すことで会員管理コンピュータは暗号化かつデータ圧縮された非接触ＩＣカード情報および店舗識別情報を解凍し複合化した非接触ＩＣカード情報を会員認識番号として会員の認証を行うとともに店舗識別情報より店舗の認証をも行えるようにしたことを特徴とする。【０００７】すなわち、各種サービス（ポイント、割引等）を提供する店舗に設置された端末で会員希望者の所有する携帯電話をかざすことで、携帯電話に内蔵された非接触ＩＣカード情報を読取り、端末が保持する店舗認識情報と読取った非接触ＩＣカード情報をインターネット経由で会員管理コンピュータに送信することで会員と店舗の認証を行えるようにしたものである。【０００８】別の店舗でも同様な手続きを行えば、１台の携帯電話で複数店舗の複数の各種サービス（ポイント、割引等）会員となることが可能である。【００９】前記会員認識番号に使用する非接触ＩＣカード情報は、ＩＣチップのＩＤを用いることが好適である。【０１０】前記端末に保持する店舗認識番号は端末の製造番号など重複しない番号を付与することが好適である。【００１１】会員管理コンピュータのインターネットサービス所在地情報の付加情報である非接触ＩＣカード情報および店舗認識情報の暗号化およびデータ圧縮は、暗号化後のデータを圧縮することが好ましい。【００１２】会員管理コンピュータのインターネットサービス所在地情報の付加情報である非接触ＩＣカード情報および店舗認識番号の暗号化に使用する秘密鍵は、前記端末が保持することが好適である。
【発明の効果】
【００１３】上述したように本発明の会員管理システム及び方法によれば、簡便な方法で各種サービス（ポイント、割引等）会員となるだけではなく、１台の携帯電話で複数店舗の会員となることができることは勿論のこと、店舗の管理負担及び初期費用を軽減され、利用者及び店舗の双方にメリットがある会員管理システム及び方法を提供することができるという大きな効果を奏する。
【発明の実施するための最良の形態】
【００１４】以下、本発明の実施形態を添付図面に基づいて説明するが、この図示例は例示的に示されるものであり、本発明の技術思想から逸脱しない限り、種々の変更が可能なことはいうまでもない。
【００１５】図１は、会員管理システムの基本的構成を示すブロック図である。
【００１６】図１において、非接触ＩＣカード読取り機能を有する端末１０がインターネットに接続可能でかつ非接触ＩＣカードを内蔵する携帯電話１１より非接触ＩＣカード情報を読取り、同携帯電話１１よりインターネット網１３を通じて会員管理コンピュータ１２に接続する形態を示している。会員管理コンピュータ１２には、各種サービス（ポイント、割引等）の画面を表示するＷＥＢサーバ１２１、会員および店舗の認証を行う店舗会員認証サーバ１２２、店舗からメール送信や会員への通知等のメール送信を行うメールサーバ１２３、会員および店舗の住所情報よりその位置関係を算出、管理を行う位置管理サーバ１２８、会員マスタ１２５および店舗マスタ１２６、各種サービス（ポイント、割引等）マスタ１２７、位置情報マスタ１２９のデータを管理するデータ管理サーバ１２４の５つのサーバから構成されている。
【００１７】図２は、非接触ＩＣカード読取り機能２２を有する端末１０が携帯電話１１の非接触ＩＣカード２１と接続する形態を示した図である。
【００１８】図２において、非接触ＩＣカード読取り機能２２を有する端末１０が携帯電話１１の非接触ＩＣカード２１と接続し、非接触ＩＣカード情報を読取る。
【００１９】図３は、端末１０のインターネット接続指示機能２３を使用し、図２で読取った非接触ＩＣカード情報と端末１０に保持する店舗認識情報を携帯電話１１のインターネット接続機能を用いて会員管理コンピュータに受け渡す形態を示した図である。
【００２０】図３において、インターネット接続要求機能２３には、事前に接続先である会員管理コンピュータのインターネットサービス所在地情報が登録されているものであり、図２で読取った非接触ＩＣカード情報および店舗認識情報は、インターネットサービス所在地情報付加情報として携帯電話１１に送信する。なお、インターネットサービス所在地情報付加情報として送信した非接触ＩＣカード情報および店舗認識情報は会員管理コンピュータ１２のＷＥＢサーバ１２１で受信する。
【００２１】図４は、会員登録を行うときの処理の流れを示すフロー図である。会員を希望する利用者が図２に示すように携帯電話１１を端末１０にかざすことで端末１０が携帯電話１１に内蔵されるＩＣカード情報の読取り（Ｓ１１０）を行う。
【００２２】前記ＩＣカード情報と端末１０に保持する店舗認識情報をインターネットサービス所在地情報の付加情報として自動的作成（Ｓ１２０）を行う。
【００２３】なお、インターネットサービス所在地情報の付加情報自動作成では、端末１０に保持する秘密鍵にて自動で暗号化を行った後、データ圧縮の自動処理を行う。
【００２４】前記付加情報は、端末１０に登録された接続先である会員管理コンピュータのインターネットサービス所在地情報に付加され、携帯電話１１に自動送信（Ｓ１２１）を行う。
【００２５】前記会員管理コンピュータのインターネットサービス所在地情報を受取った携帯電話１１は、インターネット網を通じて会員管理コンピュータ１２へ接続（Ｓ１３０）し、接続時に会員管理コンピュータ１２は付加情報を取得（Ｓ１４０）する。
【００２６】会員管理コンピュータ１２は、付加情報の非接触ＩＣカード情報、店舗認識情報、携帯電話固体識別番号にて会員、店舗の認証を行った後、会員の登録（Ｓ１４１）を行う。
【００２７】なお、インターネットサービス所在地情報の付加情報は、データ解凍および会員管理コンピュータ１２が保持する秘密鍵にて自動で複合化を行う。
【００２８】上述した本発明の実施の形態では、１店舗での会員管理システム及び方法である場合を例にとって説明したが、１台の携帯電話１１で同様な処理を行うことによって、複数の店舗の会員となることが可能であることは勿論であり、１台の携帯電話１１でのポイント会員となる店舗数の上限はない。
【図面の簡単な説明】
【００２９】
【図１】会員管理システムの基本的構成ブロック図
【図２】携帯電話と端末を接続する形態図
【図３】端末より携帯電話へインターネット接続要求する形態図
【図４】会員を希望する利用者が会員登録を行うときの処理の流れ図
【符号の説明】
【００３０】１０  端末
１１  携帯電話
１２  会員管理コンピュータ
１３  インターネット網
１２１  ＷＥＢサーバ
１２２  店舗会員認証サーバ
１２３  メールサーバ
１２４  データ管理サーバ
１２５  会員マスタ
１２６  店舗マスタ
１２７  各種サービスマスタ
１２８  位置管理サーバ
１２９  位置情報マスタ
【図１】
2009140460.tif 000003
【図２】
2009140460.tif 000004
【図３】
2009140460.tif 000005
【図４】
2009140460.tif 000006